【手続補正書】
【提出日】平成30年2月26日(2018.2.26)
【手続補正１】
【補正対象書類名】特許請求の範囲
【補正対象項目名】請求項１
【補正方法】変更
【補正の内容】
【請求項１】
第１のユーザへ送付される第１合成画像を作成する第１合成画像作成部と、
前記第１のユーザが所有する第１合成画像を取得する第１合成画像取得部と、
前記第１合成画像の内容を解析する画像解析部と、
前記第１合成画像の解析結果に基づいて、前記第１合成画像に写っている複数の人物を特定する人物特定部と、
前記第１合成画像に写っている複数の人物の中から、指定人物として、１以上の人物の指定を受け付ける指定人物受付部と、
前記第１のユーザが所有する第１画像群を保持する第１画像群保持部と、
前記第１画像群の中から、前記指定人物が写っている画像を特定する画像特定部と、
前記指定人物が写っている画像を用いて第２合成画像を作成する第２合成画像作成部とを備える画像処理システム。
【手続補正２】
【補正対象書類名】特許請求の範囲
【補正対象項目名】請求項３
【補正方法】変更
【補正の内容】
【請求項３】
第１のユーザへ送付される第１合成画像を作成する第１合成画像作成部と、
前記第１のユーザが所有する第１合成画像を他の画像から識別する識別情報を取得する識別情報取得部と、
前記第１合成画像を作成する場合に、複数のユーザの端末装置からネットワークを介して前記複数のユーザの顔画像を含む複数の顔画像を取得し、前記取得した複数の顔画像を保持する顔画像保持部と、
前記識別情報取得部によって取得された識別情報に基づいて、前記顔画像保持部に保持された複数の顔画像の中から、前記複数のユーザの顔画像を特定する顔画像特定部と、
前記第１のユーザが所有する第１画像群を保持する第１画像群保持部と、
前記顔画像特定部によって特定された複数のユーザの中から、指定人物として、１以上の人物の指定を受け付ける指定人物受付部と、
前記第１画像群の中から、前記指定人物が写っている画像を特定する画像特定部と、
前記指定人物が写っている画像を用いて第２合成画像を作成する第２合成画像作成部とを備える画像処理システム。
【手続補正３】
【補正対象書類名】特許請求の範囲
【補正対象項目名】請求項４
【補正方法】変更
【補正の内容】
【請求項４】
前記第１のユーザの端末装置から、ネットワークを介して、前記第１のユーザによって設定された前記指定人物の重要度の情報を取得する重要度情報取得部を備え、
前記第２合成画像作成部は、前記重要度の情報に基づいて、前記重要度が低い指定人物よりも前記重要度が高い指定人物が写っている画像を優先的に用いて前記第２合成画像を作成する請求項１ないし３のいずれか一項に記載の画像処理システム。
【手続補正４】
【補正対象書類名】特許請求の範囲
【補正対象項目名】請求項５
【補正方法】変更
【補正の内容】
【請求項５】
前記第１のユーザの端末装置から、前記指定人物に対する前記第１のユーザのコメントを取得するコメント取得部を備え、
前記第２合成画像作成部は、前記指定人物が写っている複数の画像に加え、前記コメントを用いて前記第２合成画像を作成する請求項１ないし４のいずれか一項に記載の画像処理システム。
【手続補正５】
【補正対象書類名】特許請求の範囲
【補正対象項目名】請求項６
【補正方法】変更
【補正の内容】
【請求項６】
前記第１のユーザの端末装置から、前記第２合成画像において使用される複数の画像の各々と関連付けられた１以上の動画像の各々を取得する動画像取得部を備え、
前記第２合成画像作成部は、前記１以上の動画像の各々と関連付けられた１以上の画像を含み、かつ、前記指定人物が写っている第１画像群を用いて前記第２合成画像を作成し、
前記第２合成画像において使用された第１画像群のうち、前記１以上の動画像のうちの第１動画像と関連付けられた第１画像が、前記指定人物の端末装置の画像撮影部によって撮影され、かつ、前記撮影された第１画像が、前記指定人物の端末装置の画像表示部に表示された場合に、前記第１動画像が、前記指定人物の端末装置の画像表示部において再生される請求項１ないし５のいずれか一項に記載の画像処理システム。
【手続補正６】
【補正対象書類名】特許請求の範囲
【補正対象項目名】請求項８
【補正方法】変更
【補正の内容】
【請求項８】
第１合成画像作成部が、第１のユーザへ送付される第１合成画像を作成するステップと、
第１合成画像取得部が、前記第１のユーザが所有する第１合成画像を取得するステップと、
画像解析部が、前記第１合成画像の内容を解析するステップと、
人物特定部が、前記第１合成画像の解析結果に基づいて、前記第１合成画像に写っている複数の人物を特定するステップと、
指定人物受付部が、前記第１合成画像に写っている複数の人物の中から、指定人物として、１以上の人物の指定を受け付けるステップと、
第１画像群保持部が、前記第１のユーザが所有する第１画像群を保持するステップと、
画像特定部が、前記第１画像群の中から、前記指定人物が写っている画像を特定するステップと、
第２合成画像作成部が、前記指定人物が写っている画像を用いて第２合成画像を作成するステップとを含む画像処理方法。
【手続補正７】
【補正対象書類名】特許請求の範囲
【補正対象項目名】請求項１０
【補正方法】変更
【補正の内容】
【請求項１０】
第１合成画像作成部が、第１のユーザへ送付される第１合成画像を作成するステップと、
識別情報取得部が、前記第１のユーザが所有する第１合成画像を他の画像から識別する識別情報を取得するステップと、
顔画像保持部が、前記第１合成画像を作成する場合に、複数のユーザの端末装置からネットワークを介して前記複数のユーザの顔画像を含む複数の顔画像を取得し、前記取得した複数の顔画像を保持するステップと、
顔画像特定部が、前記識別情報取得部によって取得された識別情報に基づいて、前記顔画像保持部に保持された複数の顔画像の中から、前記複数のユーザの顔画像を特定するステップと、
第１画像群保持部が、前記第１のユーザが所有する第１画像群を保持するステップと、
指定人物受付部が、前記顔画像特定部によって特定された複数のユーザの中から、指定人物として、１以上の人物の指定を受け付けるステップと、
画像特定部が、前記第１画像群の中から、前記指定人物が写っている画像を特定するステップと、
第２合成画像作成部が、前記指定人物が写っている画像を用いて第２合成画像を作成するステップとを含む画像処理方法。
【手続補正８】
【補正対象書類名】明細書
【補正対象項目名】０００９
【補正方法】変更
【補正の内容】
【０００９】
上記目的を達成するために、本発明は、第１のユーザへ送付される第１合成画像を作成する第１合成画像作成部と、
第１のユーザが所有する第１合成画像を取得する第１合成画像取得部と、
第１合成画像の内容を解析する画像解析部と、
第１合成画像の解析結果に基づいて、第１合成画像に写っている複数の人物を特定する人物特定部と、
第１合成画像に写っている複数の人物の中から、指定人物として、１以上の人物の指定を受け付ける指定人物受付部と、
第１のユーザが所有する第１画像群を保持する第１画像群保持部と、
第１画像群の中から、指定人物が写っている画像を特定する画像特定部と、
指定人物が写っている画像を用いて第２合成画像を作成する第２合成画像作成部とを備える画像処理システムを提供する。
【手続補正９】
【補正対象書類名】明細書
【補正対象項目名】００１１
【補正方法】変更
【補正の内容】
【００１１】
また、本発明は、第１のユーザへ送付される第１合成画像を作成する第１合成画像作成部と、
第１のユーザが所有する第１合成画像を他の画像から識別する識別情報を取得する識別情報取得部と、
第１合成画像を作成する場合に、複数のユーザの端末装置からネットワークを介して複数のユーザの顔画像を含む複数の顔画像を取得し、取得した複数の顔画像を保持する顔画像保持部と、
識別情報取得部によって取得された識別情報に基づいて、顔画像保持部に保持された複数の顔画像の中から、複数のユーザの顔画像を特定する顔画像特定部と、
第１のユーザが所有する第１画像群を保持する第１画像群保持部と、
顔画像特定部によって特定された複数のユーザの中から、指定人物として、１以上の人物の指定を受け付ける指定人物受付部と、
第１画像群の中から、指定人物が写っている画像を特定する画像特定部と、
指定人物が写っている画像を用いて第２合成画像を作成する第２合成画像作成部とを備える画像処理システムを提供する。
【手続補正１０】
【補正対象書類名】明細書
【補正対象項目名】００１２
【補正方法】変更
【補正の内容】
【００１２】
第１のユーザの端末装置から、ネットワークを介して、第１のユーザによって設定された指定人物の重要度の情報を取得する重要度情報取得部を備え、
第２合成画像作成部は、重要度の情報に基づいて、重要度が低い指定人物よりも重要度が高い指定人物が写っている画像を優先的に用いて第２合成画像を作成することが好ましい。
【手続補正１１】
【補正対象書類名】明細書
【補正対象項目名】００１３
【補正方法】変更
【補正の内容】
【００１３】
第１のユーザの端末装置から、指定人物に対する第１のユーザのコメントを取得するコメント取得部を備え、
第２合成画像作成部は、指定人物が写っている複数の画像に加え、コメントを用いて第２合成画像を作成することが好ましい。
【手続補正１２】
【補正対象書類名】明細書
【補正対象項目名】００１４
【補正方法】変更
【補正の内容】
【００１４】
第１のユーザの端末装置から、第２合成画像において使用される複数の画像の各々と関連付けられた１以上の動画像の各々を取得する動画像取得部を備え、
第２合成画像作成部は、１以上の動画像の各々と関連付けられた１以上の画像を含み、かつ、指定人物が写っている第１画像群を用いて第２合成画像を作成し、
第２合成画像において使用された第１画像群のうち、１以上の動画像のうちの第１動画像と関連付けられた第１画像が、指定人物の端末装置の画像撮影部によって撮影され、かつ、撮影された第１画像が、指定人物の端末装置の画像表示部に表示された場合に、第１動画像が、指定人物の端末装置の画像表示部において再生されることが好ましい。
【手続補正１３】
【補正対象書類名】明細書
【補正対象項目名】００１６
【補正方法】変更
【補正の内容】
【００１６】
また、本発明は、第１合成画像作成部が、第１のユーザへ送付される第１合成画像を作成するステップと、
第１合成画像取得部が、第１のユーザが所有する第１合成画像を取得するステップと、
画像解析部が、第１合成画像の内容を解析するステップと、
人物特定部が、第１合成画像の解析結果に基づいて、第１合成画像に写っている複数の人物を特定するステップと、
指定人物受付部が、第１合成画像に写っている複数の人物の中から、指定人物として、１以上の人物の指定を受け付けるステップと、
第１画像群保持部が、第１のユーザが所有する第１画像群を保持するステップと、
画像特定部が、第１画像群の中から、指定人物が写っている画像を特定するステップと、
第２合成画像作成部が、指定人物が写っている画像を用いて第２合成画像を作成するステップとを含む画像処理方法を提供する。
【手続補正１４】
【補正対象書類名】明細書
【補正対象項目名】００１８
【補正方法】変更
【補正の内容】
【００１８】
また、本発明は、第１合成画像作成部が、第１のユーザへ送付される第１合成画像を作成するステップと、
識別情報取得部が、第１のユーザが所有する第１合成画像を他の画像から識別する識別情報を取得するステップと、
顔画像保持部が、第１合成画像を作成する場合に、複数のユーザの端末装置からネットワークを介して複数のユーザの顔画像を含む複数の顔画像を取得し、取得した複数の顔画像を保持するステップと、
顔画像特定部が、識別情報取得部によって取得された識別情報に基づいて、顔画像保持部に保持された複数の顔画像の中から、複数のユーザの顔画像を特定するステップと、
第１画像群保持部が、第１のユーザが所有する第１画像群を保持するステップと、
指定人物受付部が、顔画像特定部によって特定された複数のユーザの中から、指定人物として、１以上の人物の指定を受け付けるステップと、
画像特定部が、第１画像群の中から、指定人物が写っている画像を特定するステップと、
第２合成画像作成部が、指定人物が写っている画像を用いて第２合成画像を作成するステップとを含む画像処理方法を提供する。